(57)【要約】【課題】本発明は、床材の一部のみを放射空調することが可能で、かつ対流空調の効果を高めた上で、省エネルギー化を図ることの可能な空気式放射空調システムを提供することを目的とする。【解決手段】床材の下面に配置され、空気案内用ダクト１５を通過した冷風または温風が供給される複数の放射パネル１７Ａ〜１７Ｐと、床材に形成され、放射パネル１７Ａ〜１７Ｐ内を通過した冷風または温風を部屋内に吹き出させる吹き出し口１６Ａ〜１６Ｄと、入力された情報に基づいて、複数の放射パネル１７Ａ〜１７Ｐのうち、一部の放射パネルのみに冷風または温風を供給させる制御装置２８と、を備える。【選択図】図４
2019215131.tif 000002
【特許請求の範囲】
【請求項１】
部屋の天井の上に設けられるとともに、前記天井の下面側から吸い込んだ該部屋内の空気と冷媒とを熱交換させる室内熱交換器、及び前記室内熱交換器と熱交換した前記空気を送風する送風ファンを有する室内機と、
前記部屋の外に設けられるとともに、該部屋の外の空気を取り込むファン、及び該ファンに取り込まれた空気と前記冷媒とを熱交換させる室外熱交換器を含む室外機と、
前記冷媒が循環するとともに、前記室内熱交換器、及び前記室外熱交換器と接続された冷媒循環ラインと、該室内熱交換器と、該室外熱交換器と、を有する冷凍サイクルと、
前記送風ファンにより送風された冷風または温風を前記部屋の床材の下方に導く空気案内用ダクトと、
前記床材の下面に配置され、前記空気案内用ダクトを通過した前記冷風または前記温風が供給可能な複数の放射パネルと、
前記床材に形成され、前記放射パネル内を通過した前記冷風または前記温風を前記部屋内に吹き出させる吹き出し口と、
入力された情報に基づいて、前記複数の放射パネルのうち、一部の放射パネルのみに前記冷風または前記温風を供給させる制御装置と、
を備える空気式放射空調システム。
【請求項２】
前記複数の放射パネルのうち、どの放射パネルの上方に人がいるかを検知した際の位置情報を前記制御装置に入力する人感センサを備え、
前記制御装置は、前記位置情報に基づいて、前記人の下方に位置する前記一部の放射パネルのみに前記冷風または前記温風を供給させる請求項１記載の空気式放射空調システム。
【請求項３】
前記制御装置は、冷房運転開始時に前記一部の放射パネルのみに前記冷風を供給させ、暖運転開始時に前記一部の放射パネルのみに前記温風を供給させる請求項２記載の空気式放射空調システム。
【請求項４】
前記床材の温度を検出するとともに、検出した前記床材の温度情報を前記制御装置に入力する温度センサを備え、
前記制御装置は、前記温度情報に基づいて、前記一部の放射パネルのみに前記冷風または前記温風を供給させる請求項１記載の空気式放射空調システム。
【請求項５】
前記制御装置は、冷房運転開始時において、前記床材のうち、他の領域よりも温度が高い領域の下方に位置する前記一部の放射パネルに前記冷風を供給させる請求項４記載の空気式放射空調システム。
【請求項６】
前記制御装置は、暖房運転開始時において、前記床材のうち、他の領域よりも温度が低い領域の下方に位置する前記一部の放射パネルに前記温風を供給させる請求項４記載の空気式放射空調システム。
【請求項７】
前記複数の放射パネルは、空気導入口及び空気導出口が形成された筐体と、該筐体内に収容され、前記空気導入口に導入された前記冷風及び前記温風を前記空気導出口へと導く流路を区画する流路形成用部材と、をそれぞれ有しており、
一方の端が前記空気案内用ダクトの下端部と接続され、他方の端が前記空気導入口と接続された第１の配管と、
前記第１の配管に設けられ、前記制御装置と電気的に接続された開閉弁と、
一方の端が前記空気導出口と接続され、他端から前記吹き出し口に前記冷風または前記温風を導出する第２の配管と、
を備え、
前記開閉弁が設けられた前記第１の配管、及び前記第２の配管は、前記複数の放射パネルのそれぞれに対して設ける請求項１から６のうち、いずれか一項記載の空気式放射空調システム。
【発明の詳細な説明】
【技術分野】
【０００１】
本発明は、空気式放射空調システムに関する。
【背景技術】
【０００２】
空気式放射空調システムとして、空調による冷風及び温風を使用して床冷暖房を行うとともに、床冷暖房に使用した空気（冷風または温風）を床吹出口から室内に吹き出すことで、室内の冷暖房を行うものがある（例えば、特許文献１参照）。
【０００３】
特許文献１には、部屋のスラブ上に複数の間隔保持体により支持されたパネルボードを設け、パネルボードとスラブとの間に通気空間を形成し、通気空間に冷風及び温風を流すことで床冷暖房を行うことが開示されている。
また、特許文献１には、通気空間を通気した冷風または温風を、部屋の端部に設置したグリルから室内に吹き出させることで、部屋の冷暖房を行う技術が開示されている。
【先行技術文献】
【特許文献】
【０００４】
【特許文献１】特開２００４−２３２９８９号公報
【発明の概要】
【発明が解決しようとする課題】
【０００５】
ところで、特許文献１に開示された空気式放射空調システムでは、パネルボードとスラブとの間に形成された通気空間全体に冷風または温風を供給するため、パネルボード全体を放射空調することは可能であるが、パネルボード（床材）の一部のみを放射空調することが困難であった。
【０００６】
また、特許文献１に開示された空気式放射空調システムにおいて、例えば、通気空間に冷風を供給させた場合、冷風がパネルボード全体の冷却に寄与するため、床吹出口から室内に吹き出す冷風の温度が上昇してしまう。
また、例えば、通気空間に温風を供給させた場合、温風がパネルボード全体の温めに寄与するため、床吹出口から室内に吹き出す温風の温度が低下してしまう。
つまり、特許文献１に開示された空気式放射空調システムでは、床吹出口から室内に吹き出された冷風及び温風による対流空調の効果が低下してしまう。これを補うために空気式放射空調システムの出力を上げると、空気式放射空調システムの省エネルギー化を図ることが困難となってしまう。
【０００７】
そこで、本発明は、床材の一部のみを放射空調することが可能であり、対流空調の効果を高めた上で省エネルギー化を図ることの可能な空気式放射空調システムを提供することを目的とする。
【課題を解決するための手段】
【０００８】
上記課題を解決するため、本発明の一態様に係る空気式放射空調システムは、部屋の天井の上に設けられるとともに、前記天井の下面側から吸い込んだ該部屋内の空気と冷媒とを熱交換させる室内熱交換器、及び前記室内熱交換器と熱交換した前記空気を送風する送風ファンを有する室内機と、前記部屋の外に設けられるとともに、該部屋の外の空気を取り込むファン、及び該ファンに取り込まれた空気と前記冷媒とを熱交換させる室外熱交換器を含む室外機と、前記冷媒が循環するとともに、前記室内熱交換器、及び前記室外熱交換器と接続された冷媒循環ラインと、該室内熱交換器と、該室外熱交換器と、を有する冷凍サイクルと、前記送風ファンにより送風された冷風または温風を前記部屋の床材の下方に導く空気案内用ダクトと、前記床材の下面に配置され、前記空気案内用ダクトを通過した前記冷風または前記温風が供給可能な複数の放射パネルと、前記床材に形成され、前記放射パネル内を通過した前記冷風または前記温風を前記部屋内に吹き出させる吹き出し口と、入力された情報に基づいて、前記複数の放射パネルのうち、一部の放射パネルのみに前記冷風または前記温風を供給させる制御装置と、を備える。
【０００９】
本発明によれば、入力された情報に基づいて、複数の放射パネルのうち、一部の放射パネルのみに冷風または温風を供給させる制御装置を有することで、床材の一部のみを放射空調することが可能となるので、床材の一部を効率良く放射空調することができる。
【００１０】
また、床材の一部のみを放射空調することで、床材の全体を放射空調したときよりも吹き出し口から部屋内に吹き出される冷風の温度上昇、または温風の温度低下を抑制することが可能となる。これにより、対流空調の効果を高めることが可能となるので、空気式放射空調システムの省エネルギー化を図ることができる。
【００１１】
また、上記本発明の一態様に係る空気式放射空調システムにおいて、前記複数の放射パネルのうち、どの放射パネルの上方に人がいるかを検知した際の位置情報を前記制御装置に入力する人感センサを備え、前記制御装置は、前記位置情報に基づいて、前記人の下方に位置する前記一部の放射パネルのみに前記冷風または前記温風を供給させてもよい。
【００１２】
このように、複数の放射パネルのうち、どの放射パネルの上方に人がいるかを検知した際の位置情報を制御装置に入力する人感センサを備えることで、制御装置を用いて、人の下方に位置する放射パネルのみに冷風または温風を供給させることが可能となる。これにより、床材のうち、人がいる部分のみを効率良く放射空調することができる。
【００１３】
また、上記本発明の一態様に係る空気式放射空調システムにおいて、前記制御装置は、冷房運転開始時に前記一部の放射パネルのみに前記冷風を供給させ、暖運転開始時に前記一部の放射パネルのみに前記温風を供給させてもよい。
【００１４】
このように、冷房運転開始時に一部の放射パネルのみに冷風を供給させることで、冷房運転開始から早い段階で、一部の放射パネルの上方に位置する床材の一部を効率良く冷やすことができる。
また、暖運転開始時に一部の放射パネルのみに温風を供給させることで、暖房運転開始から早い段階で、一部の放射パネルの上方に位置する床材の一部を効率良く温めることができる。
【００１５】
また、上記本発明の一態様に係る空気式放射空調システムにおいて、前記床材の温度を検出するとともに、検出した前記床材の温度情報を前記制御装置に入力する温度センサを備え、前記制御装置は、前記温度情報に基づいて、前記一部の放射パネルのみに前記冷風または前記温風を供給させてもよい。
【００１６】
このように、床材の温度を検出するとともに、検出した床材の温度情報を制御装置に入力する温度センサを設けるとともに、制御装置を用いて、温度情報に基づいて、一部の放射パネルのみに冷風または温風を供給させることで、一部の放射パネルの上方に位置する床材の一部を効率良く放射空調することができる。
【００１７】
また、上記本発明の一態様に係る空気式放射空調システムにおいて、前記制御装置は、冷房運転開始時において、前記床材のうち、他の領域よりも温度が高い領域の下方に位置する前記一部の放射パネルに前記冷風を供給させてもよい。
【００１８】
このように、冷房運転開始時において、床材のうち、温度が高い領域の下方に位置する一部の放射パネルに冷風を供給させることで、他の領域よりも温度が高い領域に対応する床材を効率良く冷却することができる。
【００１９】
また、上記本発明の一態様に係る空気式放射空調システムにおいて、前記制御装置は、暖房運転開始時において、前記床材のうち、他の領域よりも温度が低い領域の下方に位置する前記一部の放射パネルに前記温風を供給させてもよい。
【００２０】
このように、暖房運転開始時において、床材のうち、温度が低い領域の下方に位置する一部の放射パネルに温風を供給させることで、他の領域よりも温度が低い領域に対応する床材を効率良く温めることができる。
【００２１】
また、本発明の一態様に係る空気式放射空調システムは、前記複数の放射パネルは、空気導入口及び空気導出口が形成された筐体と、該筐体内に収容され、前記空気導入口に導入された前記冷風及び前記温風を前記空気導出口へと導く流路を区画する流路形成用部材と、をそれぞれ有しており、一方の端が前記空気案内用ダクトの下端部と接続され、他方の端が前記空気導入口と接続された第１の配管と、前記第１の配管に設けられ、前記制御装置と電気的に接続された開閉弁と、一方の端が前記空気導出口と接続され、他端から前記吹き出し口に前記冷風または前記温風を導出する第２の配管と、を備え、前記開閉弁が設けられた前記第１の配管、及び前記第２の配管は、前記複数の放射パネルのそれぞれに対して設けてもよい。
【００２２】
このように、複数の放射パネルに対して、制御装置と電気的に接続された開閉弁が設けられた第１の配管、及び放射パネルの空気導出口と接続され吹き出し口に冷風または温風を導出する第２の配管をそれぞれ設けることで、一部の放射パネルのみに冷風または温風を供給させることが可能となる。これにより、一部の放射パネルの上方に位置する床材の一部を放射空調することができる。
【発明の効果】
【００２３】
本発明によれば、床材の一部のみを放射空調することができ、かつ対流空調の効果を高めた上で省エネルギー化を図ることができる。
【図面の簡単な説明】
【００２４】
【図１】本発明の第１の実施形態に係る空気式放射空調システムの概略構成を模式的に示す断面図である。
【図２】図１に示す構造体のＡ１−Ａ２方向の断面図である。
【図３】図２に示す複数の放射パネルのうちの１つの放射パネルの内部構造を示す断面図である。
【図４】図１に示す空気案内用ダクト及び制御装置、並びに図２に示す吹き出し口と図２に示す複数の放射パネルとの接続関係を説明するための模式的な図である。
【図５】図１に示す制御装置の機能ブロック図である。
【図６】一部の床材のみを第１の実施形態の空気式放射空調システムを用いて放射空調する方法を説明するためのフローチャートである。
【図７】本発明の第２の実施形態に係る空気式放射空調システムの概略構成を模式的に示す断面図である。
【図８】図７に示す制御装置の機能ブロック図である。
【図９】一部の床材のみを第２の実施形態の空気式放射空調システムを用いて放射空調する方法を説明するためのフローチャートである。
【図１０】本発明の第３の実施形態に係る空気式放射空調システムの主要部を模式的に示す図である。
【図１１】図１０に示す複数の放射パネルのうちの１つを拡大した断面図である。
【発明を実施するための形態】
【００２５】
（第１の実施形態）
図１〜図４を参照して、第１の実施形態に係る空気式放射空調システム１０について説明する。図１、図２、及び図４に示すＭは、人（以下、「人Ｍ」という）を示している。図１及び図３に示す矢印は、冷風または温風の移動方向を示している。
図１〜図３に示すＸ方向は、壁２，３、床材４、及び天井６で区画された部屋７の長さ方向（壁２と壁３とが対向する方向）を示している。図２及び図３に示すＹ方向は、Ｘ方向に対して直交する部屋７の幅方向を示している。図１に示すＺ方向は、Ｘ方向及びＹ方向に対して直交する部屋７の高さ方向を示している。図１〜図４において、同一構成部分には同一符号を付す。図３に示す放射パネルは、図４に示す領域Ｂで囲まれた放射パネル１７Ｋに対応する放射パネルである。
【００２６】
空気式放射空調システム１０は、室内機１１と、室外機１２と、冷凍サイクル１４と、空気案内用ダクト１５と、吹き出し口１６Ａ〜１６Ｄと、複数の放射パネル１７Ａ〜１７Ｐと、複数の支持部材１８と、第１の配管２１Ａ〜２１Ｐと、第２の配管２２Ａ〜２２Ｐと、開閉弁２４Ａ〜２４Ｐと、人感センサ２６と、制御装置２８と、を有する。
【００２７】
室内機１１は、筐体３５と、フィルタ３７と、室内熱交換器３８と、送風ファン４２と、を有する。
【００２８】
筐体３５は、部屋７の天井６の上面６ａに配置されている。筐体３５は、下方に突出するとともに吸い込み口３５Ｂが形成された突出部３５Ａを有する。
突出部３５Ａは、天井６に形成された開口部６Ａに挿入されている。吸い込み口３５Ｂは、部屋７内の空間と連通している。吸い込み口３５Ｂは、部屋７内の空気（対流空調に使用した空気も含む）を筐体３５内に導く。
【００２９】
筐体３５のうち、壁２と対向する部分には、導出口３５Ｃが形成されている。導出口３５Ｃは、空気案内用ダクト１５の上端部１５Ａと接続されている。
室内機１１の導出口３５Ｃから導出された冷風または温風は、空気案内用ダクト１５内に導出される。
【００３０】
フィルタ３７は、吸い込み口３５Ｂに設けられている。フィルタ３７は、空気に含まれるゴミ等を除去する。
【００３１】
室内熱交換器３８は、筐体３５内に収容されている。室内熱交換器３８は、冷凍サイクル１４を構成する冷媒循環ライン５１に設けられている。
室内熱交換器３８は、冷媒循環ライン５１により供給された冷媒と吸い込み口３５Ｂから吸い込んだ空気とを熱交換させる。
【００３２】
送風ファン４２は、筐体３５内に収容されている。送風ファン４２は、室内熱交換器３８により生成された冷風または温風を空気案内用ダクト１５内に導くためのファンである。
【００３３】
室外機１２は、部屋７の外に設けられている。室外機１２は、筐体４５と、膨張弁３９と、室外熱交換器４６と、圧縮機４７と、ファン４９と、を有する。
【００３４】
筐体４５は、Ｘ方向一方側に配置された部分が壁２の外面と対向するように配置されている。筐体４５は、Ｘ方向他方側に形成された外気取り込み口４５Ａを有する。
【００３５】
膨張弁３９は、筐体４５内に収容されている。膨張弁３９は、冷媒循環ライン５１に設けられている。膨張弁３９は、冷媒循環ライン５１により供給された冷媒を膨張させることで高温高圧の冷媒を生成する。
【００３６】
室外熱交換器４６は、筐体４５内に収容されている。室外熱交換器４６は、冷媒循環ライン５１に設けられている。
室外熱交換器４６は、冷媒循環ライン５１により供給された冷媒と外気取り込み口４５Ａから取り込んだ外気とを熱交換させる。
【００３７】
圧縮機４７は、筐体４５内に収容されている。圧縮機４７は、冷媒循環ライン５１に設けられている。圧縮機４７は、冷媒循環ライン５１により供給された冷媒を圧縮することで低温低圧の冷媒を生成する。
ファン４９は、外気取り込み口４５Ａと対向するように、筐体４５内に収容されている。
【００３８】
冷凍サイクル１４は、室内熱交換器３８、膨張弁３９、室外熱交換器４６、及び圧縮機４７と接続され、冷媒が循環する冷媒循環ライン５１と、室内熱交換器３８と、膨張弁３９と、室外熱交換器４６と、圧縮機４７と、を有する。
【００３９】
空気案内用ダクト１５は、壁２の近傍に位置する天井６に形成された開口部６Ｂと、開口部６Ｂの下方に位置する床材４に形成された開口部４Ａと、に挿入された状態で設けられている。
空気案内用ダクト１５の上端部１５Ａは、天井６の上面６ａよりも上方に配置されており、筐体３５の吸い込み口３５Ｂと接続されている。
空気案内用ダクト１５の下端部１５Ｂは、床材４の下方に配置されている。空気案内用ダクト１５の下端部１５Ｂは、第１の配管２１Ａ〜２１Ｐの一端と接続されている。これにより、第１の配管２１Ａ〜２１Ｐには、空気案内用ダクト１５を通過した冷風または温風が供給される。
空気案内用ダクト１５のうち、天井６と床材４との間に配置された部分は、Ｚ方向に延びている。
【００４０】
吹き出し口１６Ａ〜１６Ｄは、壁３の近傍に位置する床材４に形成されている。吹き出し口１６Ａ〜１６Ｄは、平面視矩形とされた開口部である。吹き出し口１６Ａ〜１６Ｄは、Ｙ方向に対して、吹き出し口１６Ａ、吹き出し口１６Ｂ、吹き出し口１６Ｃ、吹き出し口１６Ｄの順で配置されている。
【００４１】
複数の放射パネル１７Ａ〜１７Ｐは、床材４の下面４ｂに配置されている。複数の放射パネル１７Ａ〜１７Ｐは、それぞれ床材４の下面４ｂと接触している。
【００４２】
放射パネル１７Ａ〜１７Ｄは、吹き出し口１６Ａと対向する部分の壁２と吹き出し口１６Ａとの間に配置されている。放射パネル１７Ａ〜１７Ｄは、放射パネル１７Ａ、放射パネル１７Ｂ、放射パネル１７Ｃ、放射パネル１７Ｄの順番で、壁２からと吹き出し口１６Ａに向かう方向に配置されている。
【００４３】
放射パネル１７Ｅ〜１７Ｈは、吹き出し口１６Ｂと対向する部分の壁２と吹き出し口１６Ｂとの間に配置されている。放射パネル１７Ｅ〜１７Ｈは、放射パネル１７Ｅ、放射パネル１７Ｆ、放射パネル１７Ｇ、放射パネル１７Ｈの順番で、壁２からと吹き出し口１６Ｂに向かう方向に配置されている。
【００４４】
放射パネル１７Ｉ〜１７Ｌは、吹き出し口１６Ｃと対向する部分の壁２と吹き出し口１６Ｃとの間に配置されている。放射パネル１７Ｉ〜１７Ｌは、放射パネル１７Ｉ、放射パネル１７Ｊ、放射パネル１７Ｋ、放射パネル１７Ｌの順番で、壁２からと吹き出し口１６Ｃに向かう方向に配置されている。
【００４５】
放射パネル１７Ｍ〜１７Ｐは、吹き出し口１６Ｄと対向する部分の壁２と吹き出し口１６Ｄとの間に配置されている。放射パネル１７Ｍ〜１７Ｐは、放射パネル１７Ｍ、放射パネル１７Ｎ、放射パネル１７Ｏ、放射パネル１７Ｐの順番で、壁２からと吹き出し口１６Ｄに向かう方向に配置されている。
【００４６】
複数の放射パネル１７Ａ〜１７Ｐは、説明の都合上、異なる符号を付したが、同じ構成とされた放射パネルである。
【００４７】
ここで、放射パネル１７Ａ〜１７Ｐの構成について、放射パネル１７Ｋを例に挙げて説明する（図３参照）。
放射パネル１７Ｋは、筐体５５と、流路５６を区画する流路形成用部材５７〜５９と、を有する。筐体５５は、外形が直方体形状とされており、内部に中空部を有する。
筐体５５は、Ｘ方向一方側に形成された空気導入口５５Ａと、Ｘ方向他方側に形成された空気導出口５５Ｂと、を有する。
【００４８】
空気導入口５５Ａは、筐体５５の角部近傍に配置されている。空気導入口５５Ａは、空気案内用ダクト１５を経由した冷風または温風を筐体５５内に導く。
空気導出口５５Ｂは、Ｘ方向において空気導入口５５Ａと対向するように形成されている。
【００４９】
流路形成用部材５７〜５９は、筐体５５内に流路５６を区画する直方体形状とされた部材であり、筐体５５内に収容されている。流路形成用部材５７〜５９は、Ｘ方向に間隔を空けた状態で配列されている。
流路５６は、Ｙ方向に延びる流路部と、Ｘ方向に延びる流路部と、が交互に繰り返し配置された構成とされている。筐体５５内に導かれた冷風または温風は、流路５６を流れた後、空気導出口５５Ｂを介して、筐体５５の外部に導出される。
【００５０】
複数の支持部材１８は、床スラブ１の上面１ａと各放射パネル１７Ａ〜１７Ｐとの間に配置されている。支持部材１８は、放射パネル１７Ａ〜１７Ｐを支持するための部材である。
【００５１】
第１の配管２１Ａは、一端が空気案内用ダクト１５の下端部１５Ｂと接続されており、他端が放射パネル１７Ａの空気導入口５５Ａと接続されている。第１の配管２１Ａは、放射パネル１７Ａ内に冷風または温風を供給する。
第１の配管２１Ｂは、一端が空気案内用ダクト１５の下端部１５Ｂと接続されており、他端が放射パネル１７Ｂの空気導入口５５Ａと接続されている。第１の配管２１Ｂは、放射パネル１７Ｂ内に冷風または温風を供給する。
【００５２】
第１の配管２１Ｃは、一端が空気案内用ダクト１５の下端部１５Ｂと接続されており、他端が放射パネル１７Ｃの空気導入口５５Ａと接続されている。第１の配管２１Ｃは、放射パネル１７Ｃ内に冷風または温風を供給する。
第１の配管２１Ｄは、一端が空気案内用ダクト１５の下端部１５Ｂと接続されており、他端が放射パネル１７Ｄの空気導入口５５Ａと接続されている。第１の配管２１Ｄは、放射パネル１７Ｄ内に冷風または温風を供給する。
【００５３】
第１の配管２１Ｅは、一端が空気案内用ダクト１５の下端部１５Ｂと接続されており、他端が放射パネル１７Ｅの空気導入口５５Ａと接続されている。第１の配管２１Ｅは、放射パネル１７Ｅ内に冷風または温風を供給する。
第１の配管２１Ｆは、一端が空気案内用ダクト１５の下端部１５Ｂと接続されており、他端が放射パネル１７Ｆの空気導入口５５Ａと接続されている。第１の配管２１Ｆは、放射パネル１７Ｆ内に冷風または温風を供給する。
【００５４】
第１の配管２１Ｇは、一端が空気案内用ダクト１５の下端部１５Ｂと接続されており、他端が放射パネル１７Ｇの空気導入口５５Ａと接続されている。第１の配管２１Ｇは、放射パネル１７Ｇ内に冷風または温風を供給する。
第１の配管２１Ｈは、一端が空気案内用ダクト１５の下端部１５Ｂと接続されており、他端が放射パネル１７Ｈの空気導入口５５Ａと接続されている。第１の配管２１Ｈは、放射パネル１７Ｈ内に冷風または温風を供給する。
【００５５】
第１の配管２１Ｉは、一端が空気案内用ダクト１５の下端部１５Ｂと接続されており、他端が放射パネル１７Ｉの空気導入口５５Ａと接続されている。第１の配管２１Ｉは、放射パネル１７Ｉ内に冷風または温風を供給する。
第１の配管２１Ｊは、一端が空気案内用ダクト１５の下端部１５Ｂと接続されており、他端が放射パネル１７Ｊの空気導入口５５Ａと接続されている。第１の配管２１Ｊは、放射パネル１７Ｊ内に冷風または温風を供給する。
【００５６】
第１の配管２１Ｋは、一端が空気案内用ダクト１５の下端部１５Ｂと接続されており、他端が放射パネル１７Ｋの空気導入口５５Ａと接続されている。第１の配管２１Ｋは、放射パネル１７Ｋ内に冷風または温風を供給する。
第１の配管２１Ｌは、一端が空気案内用ダクト１５の下端部１５Ｂと接続されており、他端が放射パネル１７Ｌの空気導入口５５Ａと接続されている。第１の配管２１Ｌは、放射パネル１７Ｌ内に冷風または温風を供給する。
【００５７】
第１の配管２１Ｍは、一端が空気案内用ダクト１５の下端部１５Ｂと接続されており、他端が放射パネル１７Ｍの空気導入口５５Ａと接続されている。第１の配管２１Ｍは、放射パネル１７Ｍ内に冷風または温風を供給する。
第１の配管２１Ｎは、一端が空気案内用ダクト１５の下端部１５Ｂと接続されており、他端が放射パネル１７Ｎの空気導入口５５Ａと接続されている。第１の配管２１Ｎは、放射パネル１７Ｎ内に冷風または温風を供給する。
【００５８】
第１の配管２１Ｏは、一端が空気案内用ダクト１５の下端部１５Ｂと接続されており、他端が放射パネル１７Ｏの空気導入口５５Ａと接続されている。第１の配管２１Ｏは、放射パネル１７Ｏ内に冷風または温風を供給する。
第１の配管２１Ｐは、一端が空気案内用ダクト１５の下端部１５Ｂと接続されており、他端が放射パネル１７Ｐの空気導入口５５Ａと接続されている。第１の配管２１Ｐは、放射パネル１７Ｐ内に冷風または温風を供給する。
【００５９】
第２の配管２２Ａは、一端が放射パネル１７Ａの空気導出口５５Ｂと接続されており、他端が吹き出し口１６Ａと接続されている。第２の配管２２Ａは、放射パネル１７Ａ内の流路５６を通過することで、床材４の一部の放射空調に寄与した冷風または温風を吹き出し口１６Ａに導く。
第２の配管２２Ｂは、一端が放射パネル１７Ｂの空気導出口５５Ｂと接続されており、他端が吹き出し口１６Ａと接続されている。第２の配管２２Ｂは、放射パネル１７Ｂ内の流路５６を通過することで、床材４の一部の放射空調に寄与した冷風または温風を吹き出し口１６Ａに導く。
【００６０】
第２の配管２２Ｃは、一端が放射パネル１７Ｃの空気導出口５５Ｂと接続されており、他端が吹き出し口１６Ａと接続されている。第２の配管２２Ｃは、放射パネル１７Ｃ内の流路５６を通過することで、床材４の一部の放射空調に寄与した冷風または温風を吹き出し口１６Ａに導く。
第２の配管２２Ｄは、一端が放射パネル１７Ｄの空気導出口５５Ｂと接続されており、他端が吹き出し口１６Ａと接続されている。第２の配管２２Ｄは、放射パネル１７Ｄ内の流路５６を通過することで、床材４の一部の放射空調に寄与した冷風または温風を吹き出し口１６Ａに導く。
【００６１】
第２の配管２２Ｅは、一端が放射パネル１７Ｅの空気導出口５５Ｂと接続されており、他端が吹き出し口１６Ｂと接続されている。第２の配管２２Ｅは、放射パネル１７Ｅ内の流路５６を通過することで、床材４の一部の放射空調に寄与した冷風または温風を吹き出し口１６Ｂに導く。
第２の配管２２Ｆは、一端が放射パネル１７Ｆの空気導出口５５Ｂと接続されており、他端が吹き出し口１６Ｂと接続されている。第２の配管２２Ｆは、放射パネル１７Ｆ内の流路５６を通過することで、床材４の一部の放射空調に寄与した冷風または温風を吹き出し口１６Ｂに導く。
【００６２】
第２の配管２２Ｇは、一端が放射パネル１７Ｇの空気導出口５５Ｂと接続されており、他端が吹き出し口１６Ｂと接続されている。第２の配管２２Ｇは、放射パネル１７Ｇ内の流路５６を通過することで、床材４の一部の放射空調に寄与した冷風または温風を吹き出し口１６Ｂに導く。
第２の配管２２Ｈは、一端が放射パネル１７Ｈの空気導出口５５Ｂと接続されており、他端が吹き出し口１６Ｂと接続されている。第２の配管２２Ｈは、放射パネル１７Ｈ内の流路５６を通過することで、床材４の一部の放射空調に寄与した冷風または温風を吹き出し口１６Ｂに導く。
【００６３】
第２の配管２２Ｉは、一端が放射パネル１７Ｉの空気導出口５５Ｂと接続されており、他端が吹き出し口１６Ｃと接続されている。第２の配管２２Ｉは、放射パネル１７Ｉ内の流路５６を通過することで、床材４の一部の放射空調に寄与した冷風または温風を吹き出し口１６Ｃに導く。
第２の配管２２Ｊは、一端が放射パネル１７Ｊの空気導出口５５Ｂと接続されており、他端が吹き出し口１６Ｃと接続されている。第２の配管２２Ｊは、放射パネル１７Ｊ内の流路５６を通過することで、床材４の一部の放射空調に寄与した冷風または温風を吹き出し口１６Ｃに導く。
【００６４】
第２の配管２２Ｋは、一端が放射パネル１７Ｋの空気導出口５５Ｂと接続されており、他端が吹き出し口１６Ｃと接続されている。第２の配管２２Ｋは、放射パネル１７Ｋ内の流路５６を通過することで、床材４の一部の放射空調に寄与した冷風または温風を吹き出し口１６Ｃに導く。
第２の配管２２Ｌは、一端が放射パネル１７Ｌの空気導出口５５Ｂと接続されており、他端が吹き出し口１６Ｃと接続されている。第２の配管２２Ｌは、放射パネル１７Ｌ内の流路５６を通過することで、床材４の一部の放射空調に寄与した冷風または温風を吹き出し口１６Ｃに導く。
【００６５】
第２の配管２２Ｍは、一端が放射パネル１７Ｍの空気導出口５５Ｂと接続されており、他端が吹き出し口１６Ｄと接続されている。第２の配管２２Ｍは、放射パネル１７Ｉ内の流路５６を通過することで、床材４の一部の放射空調に寄与した冷風または温風を吹き出し口１６Ｄに導く。
第２の配管２２Ｎは、一端が放射パネル１７Ｎの空気導出口５５Ｂと接続されており、他端が吹き出し口１６Ｄと接続されている。第２の配管２２Ｎは、放射パネル１７Ｎ内の流路５６を通過することで、床材４の一部の放射空調に寄与した冷風または温風を吹き出し口１６Ｄに導く。
【００６６】
第２の配管２２Ｏは、一端が放射パネル１７Ｏの空気導出口５５Ｂと接続されており、他端が吹き出し口１６Ｄと接続されている。第２の配管２２Ｏは、放射パネル１７Ｏ内の流路５６を通過することで、床材４の一部の放射空調に寄与した冷風または温風を吹き出し口１６Ｄに導く。
第２の配管２２Ｐは、一端が放射パネル１７Ｐの空気導出口５５Ｂと接続されており、他端が吹き出し口１６Ｄと接続されている。第２の配管２２Ｐは、放射パネル１７Ｐ内の流路５６を通過することで、床材４の一部の放射空調に寄与した冷風または温風を吹き出し口１６Ｄに導く。
【００６７】
開閉弁２４Ａは、第１の配管２１Ａに設けられている。開閉弁２４Ｂは、第１の配管２１Ｂに設けられている。開閉弁２４Ｃは、第１の配管２１Ｃに設けられている。開閉弁２４Ｄは、第１の配管２１Ｄに設けられている。
開閉弁２４Ｅは、第１の配管２１Ｅに設けられている。開閉弁２４Ｆは、第１の配管２１Ｆに設けられている。開閉弁２４Ｇは、第１の配管２１Ｇに設けられている。開閉弁２４Ｈは、第１の配管２１Ｈに設けられている。
【００６８】
開閉弁２４Ｉは、第１の配管２１Ｉに設けられている。開閉弁２４Ｊは、第１の配管２１Ｊに設けられている。開閉弁２４Ｋは、第１の配管２１Ｋに設けられている。開閉弁２４Ｌは、第１の配管２１Ｌに設けられている。
開閉弁２４Ｍは、第１の配管２１Ｍに設けられている。開閉弁２４Ｎは、第１の配管２１Ｎに設けられている。開閉弁２４Ｏは、第１の配管２１Ｏに設けられている。開閉弁２４Ｐは、第１の配管２１Ｐに設けられている。
【００６９】
開閉弁２４Ａ〜２４Ｐは、制御装置２８と電気的に接続されており、制御装置２８により開閉動作が制御される。
【００７０】
人感センサ２６は、天井６の下面６ｂに固定されている。人感センサ２６は、制御装置２８と電気的に接続されている。人感センサ２６は、複数の放射パネル１７Ａ〜１７Ｐのうち、どの放射パネルの上方に人Ｍがいるかを検知した際の位置情報を制御装置２８に入力する。
人感センサ２６としては、例えば、画像センサ（カメラ）、超音波センサ、床センサ等を用いることが可能である。
【００７１】
次に、図１、図４、及び図５を参照して、制御装置２８について説明する。図５において、図１及び図４に示す構造体と同一構成部分には、同一符号を付す。
【００７２】
制御装置２８は、放射パネル特定部２８Ａと、開閉弁特定部２８Ｂと、開閉弁制御部２８Ｃと、を有する。
放射パネル特定部２８Ａには、人感センサ２６からの位置情報が入力される。
放射パネル特定部２８Ａは、入力された位置情報に基づいて、人Ｍの下方に位置する放射パネル（図１、図２、及び図４の場合、一例として、放射パネル１７Ｋ）を特定する。放射パネル特定部２８Ａは、特定した放射パネル１７Ｋの情報を開閉弁特定部２８Ｂに入力する。
【００７３】
開閉弁特定部２８Ｂは、放射パネル１７Ｋと接続された第１の配管２１Ｋに設けられた開閉弁２４Ｋを特定し、特定した開閉弁２４Ｋに関する情報（開状態にすべき開閉弁２４Ｋに関する情報）を開閉弁制御部２８Ｃに入力する。
開閉弁制御部２８Ｃは、開閉弁特定部２８Ｂから入力された情報に基づいて、開閉弁２４Ｋを開く。これにより、複数の放射パネル１７Ａ〜１７Ｐのうち、放射パネル１７Ｋ（一部の放射パネル）のみに冷風または温風が供給される。
【００７４】
次に、図１〜図４、及び図６を参照して、一部の床材４のみを空気式放射空調システム１０により放射空調する方法について説明する。
【００７５】
初めに、図６に示す処理が開始されると、Ｓ１では、人感センサ２６により人Ｍの位置を検出する。人感センサ２６は、人Ｍの位置に関する位置情報を制御装置２８に入力する。
次いで、Ｓ２では、入力された位置情報に基づいて、放射パネル特定部２８Ａにより、人Ｍの下方に位置する放射パネル１７Ｋを特定する。
次いで、Ｓ３では、開閉弁特定部２８Ｂにより、放射パネル１７Ｋに対応する開閉弁２４Ｋを特定する。
次いで、Ｓ４では、開閉弁制御部２８Ｃにより、開閉弁２４Ｋのみを開状態とし、残りの開閉弁２４Ａ〜２４Ｊ、２４Ｌ〜２４Ｐを閉状態とする。
【００７６】
次いで、Ｓ５では、放射パネル１７Ｋのみに冷風または温風を供給させることで、放射パネル１７Ｋの上方に位置する床材４の一部を放射空調させる。
例えば、放射パネル１７Ｋの流路５６のみに冷風を供給した場合、冷風は、床材４の一部のみを冷却するため、床材４全体を冷却した冷風と比較して、放射パネル１７Ｋから導出されたときの温度上昇が小さい。
また、例えば、放射パネル１７Ｋの流路５６のみに温風を供給した場合、温風は、床材４の一部のみを温めるため、床材４全体を温めた温風と比較して、放射パネル１７Ｋから導出されたときの温度低下が小さい。
放射パネル１７Ｋから導出された冷風または温風は、第２の配管２２Ｋにより、吹き出し口１６Ｃに供給される。
【００７７】
次いで、Ｓ６では、吹き出し口１６Ｃから部屋７内に吹き出された冷風または温風により、対流空調が行われる。
このとき、部屋７内には、床材４全体を冷却した冷風と比較して、温度上昇の小さい冷風、または床材４全体を温めた温風と比較して、温度低下の小さい温風が吹き出されるため、対流空調の効果を高めることができる。
その後、図６に示す処理は終了する。
【００７８】
なお、図６に示す処理は、冷房運転開始時及び暖房運転開始時に行うとよい。
冷房運転開始時に一部の放射パネル１７Ｋのみに冷風を供給させることで、冷房運転開始から早い段階で、一部の放射パネル１７Ｋの上方に位置する床材４の一部を効率良く冷やすことができる。
また、暖運転開始時に一部の放射パネル１７Ｋのみに温風を供給させることで、暖房運転開始から早い段階で、一部の放射パネル１７Ｋの上方に位置する床材４の一部を効率良く温めることができる。
【００７９】
第１の実施形態の空気式放射空調システム１０によれば、入力された情報に基づいて、複数の放射パネル１７Ａ〜１７Ｐのうち、一部の放射パネル１７Ｋのみに冷風または温風を供給させる制御装置２８を有することで、一部の放射パネル１７Ｋに対応する床材４の一部のみを放射空調することが可能となるので、床材４の一部を効率良く放射空調することができる。
【００８０】
また、床材４の一部のみを放射空調することで、床材４の全体を放射空調したときよりも吹き出し口１６Ｃから部屋７内に吹き出される冷風の温度上昇、または温風の温度低下を抑制することが可能となるので、対流空調の効果を高めた上で、空気式放射空調システム１０の省エネルギー化を図ることができる。
【００８１】
なお、第１の実施形態では、一例として、放射パネル１７Ｋのみに冷風または温風を供給させる場合を例に挙げて説明したが、冷風または温風を供給させる放射パネルは、人Ｍがいる位置によって適宜変更が可能である。
【００８２】
また、第１の実施形態では、１つの放射パネル１７Ｋのみに冷風または温風を供給させた場合を例に挙げて説明したが、冷風または温風を供給させる放射パネルの数は、全ての放射パネル１７Ａ〜１７Ｐのうちの一部の放射パネルであればよく、１つの放射パネルに限定されない。例えば、２つの放射パネルや３つの放射パネルのみに冷風または温風を供給させてもよい。
【００８３】
（第２の実施形態）
図４、図７、及び図８を参照して、本発明の第２の実施形態に係る空気式放射空調システム６０について説明する。図７において、図１に示す構造体と同一構成部分には同一符号を付す。また、図８において、図５及び図７に示す構造体と同一構成部分には、同一符号を付す。
【００８４】
空気式放射空調システム６０は、第１の実施形態の空気式放射空調システム１０を構成する人感センサ２６に替えて温度センサ６１を有するとともに、制御装置２８の放射パネル特定部２８Ａが行う処理が異なること以外は、空気式放射空調システム１０と同様に構成されている。
【００８５】
温度センサ６１は、天井６の下面６ｂに設けられている。温度センサ６１は、制御装置２８と電気的に接続されている。温度センサ６１は、床材４の表面全体の温度を検出するとともに、検出した温度情報（温度分布に関する情報）を制御装置２８の放射パネル特定部２８Ａに入力する。
【００８６】
放射パネル特定部２８Ａは、冷房運転信号または暖房運転信号と、温度センサ６１からの温度情報と、に基づいて、複数の放射パネル１７Ａ〜１７Ｐのうち、一部の放射パネルを特定する。
例えば、放射パネル特定部２８Ａに暖房運転信号が入力され、部屋７の奥に配置された放射パネル１７Ｄ，１７Ｈ，１７Ｌ，１７Ｐの上方に位置する床材４の表面の温度が他の領域の表面温度よりも低い場合には、放射パネル特定部２８Ａは、一部の放射パネルとして、放射パネル１７Ｄ，１７Ｈ，１７Ｌ，１７Ｐを特定する。
【００８７】
また、例えば、放射パネル特定部２８Ａに冷房運転信号が入力され、壁２の近くに配置された放射パネル１７Ａ，１７Ｅ，１７Ｉ，１７Ｍの上方に位置する床材４の表面の温度が他の領域の表面温度よりも高い場合には、放射パネル特定部２８Ａは、一部の放射パネルとして、放射パネル１７Ａ，１７Ｅ，１７Ｉ，１７Ｍを特定する。
【００８８】
次に、図９を参照して、一部の床材４のみを空気式放射空調システム６０により放射空調する方法について説明する。
ここでは、一例として、放射パネル特定部２８Ａに暖房運転信号が入力され、一部の放射パネルとして、放射パネル１７Ｄ，１７Ｈ，１７Ｌ，１７Ｐを特定する場合を例に挙げて、以下の説明を行う。
【００８９】
初めに、図９に示す処理が開始されると、Ｓ７では、温度センサ６１により、床材４の表面全体の温度の検出が行われる。温度センサ６１は、検出した温度情報（温度分布に関する情報）を制御装置２８に入力する。
【００９０】
次いで、Ｓ８では、暖房運転信号と、温度センサ６１からの温度情報と、に基づいて、複数の放射パネル１７Ａ〜１７Ｐのうち、一部の放射パネルとして、床材４のうち、他の領域よりも表面温度が低い領域の下方に配置された放射パネル１７Ｄ，１７Ｈ，１７Ｌ，１７Ｐを特定する。
【００９１】
次いで、Ｓ９では、開閉弁特定部２８Ｂにより、放射パネル１７Ｄ，１７Ｈ，１７Ｌ，１７Ｐに対応する開閉弁２４Ｄ，２４Ｈ，２４Ｌ，２４Ｐを特定する。
【００９２】
次いで、Ｓ１０では、開閉弁制御部２８Ｃにより、開閉弁２４Ｄ，２４Ｈ，２４Ｌ，２４Ｐのみを開状態とし、残りの開閉弁２４Ａ〜２４Ｃ、２４Ｅ〜２４Ｇ、２４Ｉ〜２４Ｋ、２４Ｍ〜２４Ｏを閉状態とする。
【００９３】
次いで、Ｓ１１では、放射パネル１７Ｄ，１７Ｈ，１７Ｌ，１７Ｐのみに温風を供給させることで、放射パネル１７Ｄ，１７Ｈ，１７Ｌ，１７Ｐの上方に位置する床材４の一部を放射空調させる。
この場合も第１の実施形態と同様に、全ての放射パネル１７Ａ〜１７Ｐのうち、一部の放射パネル（放射パネル１７Ｄ，１７Ｈ，１７Ｌ，１７Ｐ）のみに温風を供給させるため、床材４の一部を効率良く放射空調することができる。
【００９４】
次いで、Ｓ１２では、放射パネル１７Ｄ，１７Ｈ，１７Ｌ，１７Ｐ内を通過した温風が１６Ａ〜１６Ｄから部屋７内に吹き出されることで、対流空調が行われる。
このとき、全ての放射パネル１７Ａ〜１７Ｐに温風を供給させた場合と比較して、放射パネル１７Ｄ，１７Ｈ，１７Ｌ，１７Ｐから導出されたときの温風の温度低下が小さくなるため、対流空調の効果を高めた上で、空気式放射空調システム６０の省エネルギー化を図ることができる。
【００９５】
上述したように、第２の実施形態の空気式放射空調システム６０は、第１の実施形態の空気式放射空調システム１０と同様な効果を得ることができる。
【００９６】
なお、第２の実施形態の空気式放射空調システム６０に、第１の実施形態で説明した人感センサ２６を組み合わせてもよい。
【００９７】
（第３の実施形態）
図１０及び図１１を参照して、第３の実施形態に係る空気式放射空調システム７０について説明する。図１０では、説明の便宜上、複数の放射パネル７１Ａ〜７１Ｐを断面図で図示する。図１０に示す矢印は、冷風または温風が流れる方向（移動方向）を示している。図１１に示すＣは、ダンパ８６の回動方向（Ｃ方向）を示している。図１０及び図１１において、図４に示す構造体と同一構成部分には、同一符号を付す。また、図１０及び図１１において、同一構成部分には同一符号を付す。
【００９８】
空気式放射空調システム７０は、第１の実施形態の空気式放射空調システム１０を構成する複数の放射パネル１７Ａ〜１７Ｐ、第１の配管２１Ａ〜２１Ｐ、第２の配管２２Ａ〜２２Ｐ、及び開閉弁２４Ａ〜２４Ｐに替えて、複数の放射パネル７１Ａ〜７１Ｐ、及び配管７３Ａ〜７３Ｄ，７５Ａ〜７５Ｄを有すること以外は、空気式放射空調システム１０と同様な構成とされている。
【００９９】
複数の放射パネル７１Ａ〜７１Ｐは、それぞれ同様な構成とされた放射パネルである。
ここで、放射パネル７１Ａ〜７１Ｐの構成について、放射パネル７１Ａを例に挙げて説明する（図１１参照）。
放射パネル７１Ａは、筐体８１と、流路８８を区画する流路形成用部材８３〜８５と、ダンパ８６と、を有する。筐体８１は、外形が直方体形状とされており、内部に中空部を有する。
【０１００】
筐体８１は、Ｘ方向一方側に形成された空気導入口８１Ａと、Ｘ方向他方側に形成された空気導出口８１Ｂと、を有する。
空気導入口８１Ａは、筐体８１の角部近傍に配置されている。空気導入口８１Ａは、空気案内用ダクト１５を経由した冷風または温風を筐体８１内に導く。空気導入口８１Ａは、Ｙ方向に対して直交する筐体８１の端面８１ａ、及びＸ方向に対して直交する筐体８１の端面８１ｂに露出されている。端面８１ａ，８１ｂは、ダンパ８６が当接される面である。
空気導出口８１Ｂは、Ｘ方向において空気導入口８１Ａと対向するように形成されている。
【０１０１】
流路形成用部材８３〜８５は、筐体８１内に流路８８を区画する直方体形状とされた部材であり、筐体８１内に収容されている。流路形成用部材８３〜８５は、Ｘ方向に間隔を空けた状態で配列されている。
流路８８は、Ｘ方向に延びる流路部８８Ａ，８８Ｂと、Ｙ方向に延びる流路部８８Ｃ〜８８Ｆと、を有する。流路部８８Ａは、Ｘ方向に延び、空気導入口８１Ａと空気導出口８１Ｂとを接続している。
【０１０２】
ダンパ８６は、端面８１ａ，８１ｂに当接可能、かつＣ方向に回動可能な状態で筐体８１内に収容されている。
放射パネル７１Ａ〜７１Ｐに設けられた各ダンパ８６は、制御装置２８と電気的に接続されている。制御装置２８は、端面８１ａ，８１ｂのうち、一方の端面に当接されるように各ダンパ８６を回動させる制御を行う。ダンパ８６は、流路部８８Ｂ〜８８Ｆをバイパスさせるか否かを選択するための機構である。
【０１０３】
図１１に示すように、ダンパ８６が端面８１ａと接触した状態では、筐体８１内に導入された冷風または温風は、流路部８８Ａのみを通過するため、放射空調にほとんど寄与しない。
一方、ダンパ８６が端面８１ｂと接触した状態において、筐体８１内に導入された冷風または温風は、流路部８８Ｃに流れる。このため、冷風または温風は、流路部８８Ｃを経由した後に、流路部８８Ａ，８８Ｂ，８８Ｄ〜８８Ｆに流れるため、放射空調に寄与する。そして、放射空調に寄与した冷風または温風は、空気導出口８１Ｂから導出される。
【０１０４】
放射パネル７１Ａ〜７１Ｄは、放射パネル７１Ａ、放射パネル７１Ｂ、放射パネル７１Ｃ、放射パネル７１Ｄの順番で、空気案内用ダクト１５からと吹き出し口１６Ａに向かう方向に接触した状態で直列に配置されている。
放射パネル７１Ａの空気導出口８１Ｂは、Ｘ方向において放射パネル７１Ｂの空気導入口８１Ａと対向するとともに、連通している。放射パネル７１Ｂの空気導出口８１Ｂは、Ｘ方向において放射パネル７１Ｃの空気導入口８１Ａと対向するとともに、連通している。放射パネル７１Ｃの空気導出口８１Ｂは、Ｘ方向において放射パネル７１Ｄの空気導入口８１Ａと対向するとともに、連通している。
【０１０５】
放射パネル７１Ｅ〜７１Ｈは、放射パネル７１Ｅ、放射パネル７１Ｆ、放射パネル７１Ｇ、放射パネル７１Ｈの順番で、空気案内用ダクト１５からと吹き出し口１６Ｂに向かう方向に接触した状態で直列に配置されている。
放射パネル７１Ｅの空気導出口８１Ｂは、Ｘ方向において放射パネル７１Ｆの空気導入口８１Ａと対向するとともに、連通している。放射パネル７１Ｆの空気導出口８１Ｂは、Ｘ方向において放射パネル７１Ｇの空気導入口８１Ａと対向するとともに、連通している。放射パネル７１Ｇの空気導出口８１Ｂは、Ｘ方向において放射パネル７１Ｈの空気導入口８１Ａと対向するとともに、連通している。
【０１０６】
放射パネル７１Ｉ〜７１Ｌは、放射パネル７１Ｉ、放射パネル７１Ｊ、放射パネル７１Ｋ、放射パネル７１Ｌの順番で、空気案内用ダクト１５からと吹き出し口１６Ｃに向かう方向に接触した状態で直列に配置されている。
放射パネル７１Ｉの空気導出口８１Ｂは、Ｘ方向において放射パネル７１Ｊの空気導入口８１Ａと対向するとともに、連通している。放射パネル７１Ｊの空気導出口８１Ｂは、Ｘ方向において放射パネル７１Ｋの空気導入口８１Ａと対向するとともに、連通している。放射パネル７１Ｋの空気導出口８１Ｂは、Ｘ方向において放射パネル７１Ｌの空気導入口８１Ａと対向するとともに、連通している。
【０１０７】
放射パネル７１Ｍ〜７１Ｐは、放射パネル７１Ｍ、放射パネル７１Ｎ、放射パネル７１Ｏ、放射パネル７１Ｐの順番で、空気案内用ダクト１５からと吹き出し口１６Ｄに向かう方向に接触した状態で直列に配置されている。
放射パネル７１Ｍの空気導出口８１Ｂは、Ｘ方向において放射パネル７１Ｎの空気導入口８１Ａと対向するとともに、連通している。放射パネル７１Ｎの空気導出口８１Ｂは、Ｘ方向において放射パネル７１Ｏの空気導入口８１Ａと対向するとともに、連通している。放射パネル７１Ｏの空気導出口８１Ｂは、Ｘ方向において放射パネル７１Ｐの空気導入口８１Ａと対向するとともに、連通している。
【０１０８】
このように、Ｘ方向において互いに隣り合う放射パネルの空気導入口８１Ａと空気導出口８１Ｂとが連通するように、放射パネル７１Ａ〜７１Ｐを配置させることで、別途、配管を設ける必要がなくなる。これにより、第１の実施形態の空気式放射空調システム１０と比較して、空気式放射空調システム７０の構成を簡略化させることができる。
【０１０９】
また、放射パネル７１Ａ〜７１Ｐ内に形成された流路部８８Ａが放射パネル７１Ａ〜７１Ｐに形成された流路部８８Ｂ〜８８Ｆをバイパスさせるバイパス流路として機能する。これにより、別途、バイパス用の配管を準備する必要がないため、空気式放射空調システム７０の構成を簡略化させることができる。
【０１１０】
第３の実施形態の空気式放射空調システム７０によれば、Ｘ方向において互いに隣り合う放射パネルの空気導入口８１Ａと空気導出口８１Ｂとが連通するように、放射パネル７１Ａ〜７１Ｐを配置させることで、空気式放射空調システム７０の構成を簡略化させた上で、床材の一部のみを放射空調することができ、かつ対流空調の効果を高めて省エネルギー化を図ることができる。
【０１１１】
以上、本発明の好ましい実施形態について詳述したが、本発明はかかる特定の実施形態に限定されるものではなく、特許請求の範囲内に記載された本発明の要旨の範囲内において、種々の変形・変更が可能である。
【０１１２】
例えば、上述した第１から第３の実施形態の空気式放射空調システム１０，６０，７０では、一例として、人感センサ２６の入力情報、または温度センサ６１の入力情報に基づいて、放射パネルを特定したが、例えば、リモコンにより、冷風または温風を供給する一部の放射パネルを特定してもよい。
また、図１及び図７では、一例として、筐体４５内に膨張弁３９を配置させた場合を例に挙げて説明したが、例えば、筐体３５内に膨張弁３９を配置させてもよい。
【符号の説明】
【０１１３】
１…床スラブ
１ａ，４ａ，６ａ…上面
２，３…壁
４…床材
４Ａ，６Ａ，６Ｂ…開口部
４ｂ，６ｂ…下面
６…天井
７…部屋
１０，６０，７０…空気式放射空調システム
１１…室内機
１２…室外機
１４…冷凍サイクル
１５…空気案内用ダクト
１５Ａ…上端部
１５Ｂ…下端部
１６Ａ〜１６Ｄ…吹き出し口
１７Ａ〜１７Ｐ，７１Ａ〜７１Ｐ…放射パネル
１８…支持部材
２１Ａ〜２１Ｐ…第１の配管
２２Ａ〜２２Ｐ…第２の配管
２４Ａ〜２４Ｐ…開閉弁
２６…人感センサ
２８…制御装置
２８Ａ…放射パネル特定部
２８Ｂ…開閉弁特定部
２８Ｃ…開閉弁制御部
３５，４５，５５，８１…筐体
３５Ａ…突出部
３５Ｂ…吸い込み口
３５Ｃ…導出口
３７…フィルタ
３８…室内熱交換器
３９…膨張弁
４２…送風ファン
４５Ａ…外気取り込み口
４６…室外熱交換器
４７…圧縮機
４９…ファン
５１…冷媒循環ライン
５５Ａ，８１Ａ…空気導入口
５５Ｂ，８１Ｂ…空気導出口
５６，８８…流路
５７〜５９，８３〜８５…流路形成用部材
６１…温度センサ
７３Ａ〜７３Ｄ，７５Ａ〜７５Ｄ…配管
８１ａ，８１ｂ…端面
８６…ダンパ
８８Ａ〜８８Ｆ…流路部
Ｃ…方向
Ｍ…人
【図１】
2019215131.tif 000003
【図２】
2019215131.tif 000004
【図３】
2019215131.tif 000005
【図４】
2019215131.tif 000006
【図５】
2019215131.tif 000007
【図６】
2019215131.tif 000008
【図７】
2019215131.tif 000009
【図８】
2019215131.tif 000010
【図９】
2019215131.tif 000011
【図１０】
2019215131.tif 000012
【図１１】
2019215131.tif 000013